(57)【要約】【課題】表裏で異なる装飾態様の装飾体に連結したリング体を揺動回転させる枢支構造を工夫し、装飾体に対するリング体の揺動回転を円滑にし、その装飾性を増大させる。【解決手段】表裏で互いに異なる装飾態様となる対状の装飾物３Ａ，３Ｂを表裏に配装固定した装飾体１と、この装飾体１に表裏方向に沿って揺動自在に連結されていて、手指に嵌め合わせるリング体６とから成る。リング体６は、装飾体１の外側面に突起状に設けた軸体４に揺動自在に嵌め合わせ、軸体４先端に形成した係止突部５によって抜脱しないようにしてある。また、リング体６は、手指外径に対応して湾曲しているＣ字状のリング本体部７と、装飾体１の囲繞枠体２における表裏方向に沿う幅員に対応した長さを有し、軸体４に嵌め合わせて、囲繞枠体２外側面に対峙するようリング本体部７の端部それぞれに形成した軸連結部８とから構成する。【選択図】図１
0003169555.tif 000002
【実用新案登録請求の範囲】
【請求項１】
表裏で互いに異なる装飾態様となる対状の装飾物を表裏に配装固定した装飾体と、この装飾体に表裏方向に沿って揺動自在に連結されていて、手指に嵌め合わせられるリング体とから成り、リング体は、装飾体の外側面に突起状に設けられた軸体に揺動自在に嵌め合わせて成ることを特徴とする反転装飾式指輪。
【請求項２】
リング体は、手指外径に対応して湾曲しているＣ字状のリング本体部と、装飾体の囲繞枠体における表裏方向に沿う幅員に対応した長さを有し、軸体に嵌め合わせられて、囲繞枠体外側面に対峙するようリング本体部の端部それぞれに形成されている軸連結部とから成る請求項１に記載の反転装飾式指輪。
【請求項３】
軸体は、軸連結部の抜脱を阻止するよう先端に係止突部を形成してある請求項１または２に記載の反転装飾式指輪。
【請求項４】
係止突部は、リング体における軸連結部の嵌め込み後で軸体自体の先端部に形成してある請求項３に記載の反転装飾式指輪。
【請求項５】
軸体は、軸連結部の抜脱を阻止するよう軸体の先端部に係止突部が予め形成されていて、リング体の軸連結部が嵌め込まれた後に囲繞枠体と一体化される請求項３に記載の反転装飾式指輪。
【請求項６】
リング体は、装飾体に対状にして、あるいは１本状にして揺動回転可能に連結して成る請求項１乃至５のいずれかに記載の反転装飾式指輪。
【考案の詳細な説明】
【技術分野】
【０００１】
この考案は、例えば表裏で異なる装飾態様の宝石の如き装飾石、装飾物等を表裏方向に沿って反転させることで異なる装飾形態とでき、時・場所等に応じて装飾態様を適宜に変更できる反転装飾式指輪に関する。
【背景技術】
【０００２】
従来から、リバーシブル指輪等として、表裏で異なる装飾態様となっている装飾体を、この装飾体に枢支した一対の指リングの装飾体に対する反転揺動によって、指に嵌め合わせたときに装飾体の表裏のいずれかが外観されるようにすることで、異なる装飾態様とすることが提案されている。例えば特許文献１に係るリバーシブル指輪であり、特許文献２に係る指輪であり、特許文献３に係る指輪であり、特許文献４に係るリバーシブル装飾台付き指輪である。
【０００３】
特許文献１に示された指輪は、表裏で異なる装飾面とする単一体に貫挿する軸の端部に、リングの立ち上がり端部を回転自在に連結することで、リングに対して単一体を表裏反転させるとする。特許文献２に示された指輪は、表裏面に装飾部を有する台座の両端部に一対のリングを回転可能に枢着し、リングには装飾部と間隔を保持する空間部を設けるとする。特許文献３に係る指輪は、上下面に石座を形成した宝石保持部材にリングを回転可能に取り付け、リングの回転によって宝石保持部材の上下面のいずれかの石座を表示できるようにするとする。特許文献４に係るリバーシブル装飾台付き指輪は、リング状の指輪本体の対峙状の立ち上がり爪相互間に、表裏面で異質・異形等のリバーシブル装飾台をこれの取付杆を介して転回自在に設けるとする。
【先行技術文献】
【特許文献】
【０００４】
【特許文献１】実開平２−７４９１２号公報
【特許文献２】実願平３−６７１１３号（実開平３−６７１１３号公報）のマイクロフィルム
【特許文献３】実開平５−１５４０３号公報
【特許文献４】実開平５−８２３０８号公報
【考案の概要】
【考案が解決しようとする課題】
【０００５】
これらの従来の指輪によると、表裏面で異なる装飾体と、この装飾体に対して連結するリング体との回転させる枢支構成において、装飾体を貫挿させる軸体を設けるものとしたり（特許文献１参照）、リング体に設けた軸部分を装飾体両側に挿入するものとしたり（特許文献２，３参照）、逆に装飾体両側に形成した軸部をリング体に挿入するものとしたり（特許文献４参照）等となっている。そのため、その装飾態様は、装飾体自体の表裏の選択変化によるだけであり、特に装飾体とリング体との間における回転枢支構成は、装飾体に対してのリング体の揺動回転の円滑的な操作性のみが考慮されているにすぎないものであった。
【０００６】
そこでこの考案は上述したような従来存した諸事情に鑑み案出されたもので、その目的は表裏で異なる装飾態様となっている装飾体に連結したリング体を、装飾体に対して揺動回転させる枢支構造を工夫し、装飾体に対するリング体の揺動回転を円滑にするばかりでなく、その装飾性を増大させ、一層の興趣性に富むようにした反転装飾式指輪を提供することにある。
【課題を解決するための手段】
【０００７】
上述した課題を解決するため、この考案にあっては、表裏で互いに異なる装飾態様となる対状の装飾物３Ａ，３Ｂを表裏に配装固定した装飾体１と、この装飾体１に表裏方向に沿って揺動自在に連結されていて、手指に嵌め合わせられるリング体６とから成り、リング体６は、装飾体１の外側面に突起状に設けられた軸体４に揺動自在に嵌め合わせて成ることを特徴とする。
リング体６は、手指外径に対応して湾曲しているＣ字状のリング本体部７と、装飾体１の囲繞枠体２における表裏方向に沿う幅員に対応した長さを有し、軸体４に嵌め合わせられて、囲繞枠体２外側面に対峙するようリング本体部７の端部それぞれに形成されている軸連結部８とから構成することができる。
軸体４は、軸連結部８の抜脱を阻止するよう先端に係止突部５を形成して構成することができ、この係止突部５は、リング体６における軸連結部８の嵌め込み後で軸体４自体の先端部に形成することができる。
また、軸体４は、軸連結部８の抜脱を阻止するよう軸体４の先端部に係止突部５が予め形成されていて、リング体６の軸連結部８が嵌め込まれた後に囲繞枠体２と一体化されることで構成することができる。
リング体６は、装飾体１に対状にして、あるいは１本状にして揺動回転可能に連結することができる。
【０００８】
以上のように構成されたこの考案に係る反転装飾式指輪にあって、装飾体１に対するリング体６の揺動反転によって手指に嵌めたときの装飾体１における異なる表裏の装飾態様となる装飾物３Ａ，３Ｂのいずれか一方を選択して外観させ、手指への嵌め合わせ装着後であっても、一旦取り外し後の再度のリング体６による揺動反転操作で、他方を選択できる等の異なる装飾態様を楽しませる。
装飾体１における囲繞枠体２の外側面に突起状に形成した軸体４は、リング体６を揺動自在に連結させて、その揺動反転操作を円滑にさせ、また、装飾体１外部における装飾作用を増大させることで、興趣性を一層富ませる。
軸体４の係止突部５は、軸体４に嵌め込まれたリング体６の抜脱を阻止して、装飾体１の反転装飾態様の選択、操作時におけるリング体６の揺動回転を円滑にさせる。装飾体１に一体にした軸体４にリング体６を嵌め込ませた後の係止突部５の形成、あるいは係止突部５が形成されている軸体４にリング体６を嵌め込ませた後の軸体４の装飾体１への一体化のいずれでも、装飾体１に対する軸体４を介してのリング体６の揺動回転構成を実現させる。
リング体６における軸連結部８は、装飾体１の反転装飾態様の選択後で、リング体６によって手指に嵌めるとき、手指外面と装飾体１の装飾物３Ａ，３Ｂ面との直接の接触を阻止し、手指への保護を図らせる。
【考案の効果】
【０００９】
この考案は以上説明したように構成されているため、表裏で異なる装飾態様となっている装飾物３Ａ，３Ｂを有する装飾体１に、この装飾体１外側面に突起状に設けた軸体４を介して揺動回転可能なリング体６を連結することで、装飾体１に対するリング体６の揺動回転操作を円滑にするばかりでなく、その装飾性を増大させ、一層の興趣性に富ませることができる。
【００１０】
すなわちこれは、この考案において、表裏で互いに異なる装飾態様となる対状の装飾物３Ａ，３Ｂを表裏に配装固定した装飾体１に、この装飾体１に表裏方向に沿って揺動自在にしたリング体６を、装飾体１の外側面に突起状に設けられた軸体４に揺動自在に嵌め合わせたからであり、これによって、装飾体１における装飾物３Ａ，３Ｂの選択時のリング体６の揺動回転の円滑性、軸体４による装飾体１に対する装飾効果の増大等を図れる。
【００１１】
また、リング体６は、Ｃ字状のリング本体部７の端部それぞれに、囲繞枠体２の表裏方向に沿う幅員に対応した長さを有し、軸体４に嵌め合わせて、囲繞枠体２外側面に対峙するようにした軸連結部８を形成してあるから、装飾体１表裏の装飾物３Ａ，３Ｂのいずれか一方が手指の外方に位置して外観されることで装飾しても、隠される他方の装飾物３Ａ，３Ｂは手指面に接触せず、手指面にその痕跡を残さず、安心して嵌め合わせて使用できる
【００１２】
軸体４の係止突部５は、揺動回転自在にして装飾体１に連結したリング体６の抜脱を阻止し、装飾体１とリング体６とを軸体４によって一体的に連結したものとし、指輪としての装飾作用を一層増大させている。
【００１３】
装飾体１に対して対状のリング体６が連結されていれば、このリング体６の揺動回転で装飾体１の表裏における装飾物３Ａ，３Ｂのいずれか一方を外観させ、また１本のリング体６であれば、装飾体１自体あるいはリング体６の反転操作で、装飾物３Ａ，３Ｂのいずれかを外観させることができる。
【００１４】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１５】
【図１】この考案を実施するための一形態を示す斜視図である。
【図２】同じく一部切欠平面図である。
【図３】同じく要部断面図である。
【図４】同じく正面図である。
【図５】同じくリング体の揺動反転状態を示す側面図である。
【図６】同じく他の実施の形態における側面図である。
【考案を実施するための形態】
【００１６】
以下、図面を参照してこの考案を実施するための一形態を説明すると、図において示される符号１は指輪としての適宜大きさを呈するよう表裏に異なる態様の装飾が施されている反転式の装飾体であり、表裏では全く異なるようにした異種、異形態様の装飾が施されている。この装飾体１は、図示のように、例えば所定大きさで周囲を囲繞する枠状の囲繞枠体２内に、例えば互いの背面で接合されることで、囲繞枠体２の上下である表裏それぞれから見て互いに異なる装飾態様となっている対状の装飾物３Ａ，３Ｂを配装して設けて成る（図３参照）。装飾物３Ａ，３Ｂの囲繞枠体２内への配装構造は、装飾物３Ａ，３Ｂ周囲が囲繞枠体２によって例えば接着等されることで固着されており、囲繞枠体２の枠部縁から僅かに膨出するように形成されているも、これに限定されない。尚、囲繞枠体２は、その平面形状が図示のように長円形を呈する場合に限らず、楕円形、菱形、矩形その他とすることができる。
【００１７】
また、装飾物３Ａ，３Ｂは、例えば、相互に異なる色彩・模様の宝石態様としたり、複数の宝石が適宜に組み合わせられるものとしたり、大小・形状等が異なる複数の宝石が異なる態様で組み合わせられていたり、宝石とは異なる金属片その他の適宜素材によって加工された装飾品から成るものとしたり等となしてあるもので、手指上で上下方向で反転されることで装飾するに適するものとすれば良く、特に限定されるものではない。
【００１８】
このように構成された装飾体１には、この装飾体１自体を上下方向で反転させて表裏のいずれかを手指上に外観位置させるリング体６が、装飾体１の囲繞枠体２外側面に付設された軸体４によって揺動自在に連繋されている。
【００１９】
軸体４は、先端に係止突部５が形成されていて、囲繞枠体２外側面に突起状にして囲繞枠体２と一体状に設けられており、例えば軸体４基部端面を囲繞枠体２外側面に溶接、接着等によって一体状に連結してあり、もとより、囲繞枠体２と軸体４との一体形成も可能である。係止突部５は、例えばリング体６における後述の軸連結部８の嵌め込み後で軸連結部８の抜脱を阻止するように軸体４自体の先端部をカシメ、圧潰等によって形成され、ただ、体裁性を考慮して軸体４の先端部において周縁全域を軸体４の本体部分に比し大径にした瘤状にしておくと良い。尚、この軸体４は、予め係止突部５が形成されている軸体４に軸連結部８が嵌め込まれた後に囲繞枠体２と一体化されても良い。
【００２０】
また、リング体６は、指輪を嵌める使用者の手指外径に対応して湾曲しているＣ字状のリング本体部７と、装飾体１の囲繞枠体２における表裏（上下）方向に沿う幅員に対応した長さを有し、軸体４に嵌め合わせられることで、囲繞枠体２外側面に対峙するようにしてリング本体部７の端部それぞれに形成されている軸連結部８とから成る。リング本体部７は、図示のように細帯状に形成される場合に限らず、断面で円形その他を呈しているも良く、また、軸連結部８は、前記軸体４に揺動自在に嵌め合わせる連結孔が開穿形成されていれば良く、図示のように片状に形成されていることに限定されない。尚、連結孔は軸体４における軸部分の外径に比し小さくはない内径を有し、軸体４に対していずれの方向にも揺動回転が可能にしてある。
【００２１】
軸連結部８自体は、軸体４との軸支部分である連結孔を中心として装飾体１の表裏方向で反転揺動され（図５参照）、装飾体１の装飾物３Ａ，３Ｂのいずれかが手指側に向けられていても、装飾物３Ａ，３Ｂが手指面に当たることがないような軸支位置として配慮されている。
【００２２】
図１乃至図５においては、リング体６は装飾体１の前後で対状となる計２本として構成される場合を示しており、このような対状の連結構成は、装飾体１に対してそれぞれのリング体６を互いに逆方向に揺動させることで装飾体１の表裏を反転させた装飾態様とすることができる。また、手指に嵌め合わせたときには、装飾体１の前後で手指に嵌め合わせ固定するため、嵌め合わせ時の装着安定性を増大させる。
【００２３】
場合によっては図６に示すように、１本のリング体６として構成することも可能であり、このようなリング体６の１本構成は、装飾体１あるいはリング体６の揺動回転によって、装飾体１の表裏を反転させることができる。
【００２４】
次にこれの使用の一例を説明すると、装飾体１において、その装飾物３Ａ，３Ｂとして所定の宝石、模造宝石あるいは適宜な形態を呈する装飾品を表裏で異なるようにして囲繞枠体２内に配装固定しておき、選択されたそのいずれか一方の装飾物３Ａ，３Ｂが手指の外方に向くようにリング体６を揺動させて手指に嵌め合わせ装着する。そして、他方の装飾物３Ａ，３Ｂに変更する場合には、手指から一旦取り外し、リング体６を揺動反転させることで、他方が手指の外方に向くようにしてリング体６にて再び手指に嵌め合わせ装着すれば良い。
【符号の説明】
【００２５】
１  装飾体
２  囲繞枠体
３Ａ  装飾物
３Ｂ  装飾物
４  軸体
５  係止突部
６  リング体
７  リング本体部
８  軸連結部
【図１】
0003169555.tif 000003
【図２】
0003169555.tif 000004
【図３】
0003169555.tif 000005
【図４】
0003169555.tif 000006
【図５】
0003169555.tif 000007
【図６】
0003169555.tif 000008